(57)【要約】【課題】  可変画像を違和感なく表示できる可変画像表示体及び合成画像形成方法を提供する。【解決手段】  複数のレンズが第一の方向に配列されたレンズシート１０と、前記レンズの表面とは反対側の面に配置された合成画像２０を有する可変画像表示体１００において、合成画像は、ｎ枚の撮影画像のうち最初の撮影画像に第一基準ラインＬａ、第二基準ラインＬｂ、第三基準ラインＬｅ、位置合わせ基準ラインを定義し、前記ｎ枚の撮影画像を重ね合わせてトリミングする際、ｍ枚目の撮影画像に現れる被写体画像の基準部位が、最初の撮影画像の前記ｍ番目（ただし、ｍは、０＜ｍ≦ｎである自然数）の位置合わせ基準ライン上となるよう位置調整して重ね合わせて、被写体画像を含む領域をトリミングしてそれぞれからライン状に抽出し配列された画像列により構成される。【選択図】図６
2020187255.tif 000002
【特許請求の範囲】
【請求項１】
複数のレンズが第一の方向に配列されたレンズシートと、前記レンズの表面とは反対側の面に配置された合成画像を有する可変画像表示体において、
前記合成画像の元画像は、移動体を被写体として連続して撮影したｎ枚（ただし、ｎは３以上の自然数）の撮影画像であって、かつ、当該ｎ枚の撮影画像に現れる前記移動体の像である被写体画像が、少なくとも前記第一の方向に直交する方向へ移動している前記ｎ枚の撮影画像であって、
前記合成画像は、
前記ｎ枚の撮影画像のうち最初の撮影画像に定義される基準ラインであって、
当該最初の撮影画像に現れる被写体画像の基準部位を含み、前記第一の方向に平行な第一基準ラインＬａを定義し、
前記ｎ枚の撮影画像のうちｎ枚目の撮影画像に現れる被写体画像の基準部位に対応する部位を含み、前記第一の方向に平行な第二基準ラインＬｂを定義し、
前記第一基準ラインＬａと前記第二基準ラインＬｂの間に位置し、前記第一基準ラインＬａからの距離と前記第二基準ラインＬｂからの距離の比が、ｓ：ｔである第三基準ラインＬｅを定義し、
前記第一基準ラインＬａと前記第三基準ラインＬｅの間に、前記第一基準ラインＬａと前記第三基準ラインＬｅとの間を（ｎ−１）等分する（ｎ−２）本の位置合わせ基準ラインであって、前記第三基準ラインＬｅに近い方から順に（ｎ−１）番目の前記位置合わせ基準ライン、（ｎ−２）番目の前記位置合わせ基準ライン、・・・とし、かつ、前記第三基準ラインＬｅをｎ番目の前記位置合わせ基準ラインとして定義し、
前記ｎ枚の撮影画像を重ね合わせてトリミングする際、ｍ枚目の撮影画像に現れる被写体画像の基準部位が、前記最初の撮影画像のｍ番目（ただし、ｍは、０＜ｍ≦ｎである自然数）の位置合わせ基準ライン上となるよう位置調整して重ね合わせて、前記被写体画像を含む領域をトリミングし、
トリミングされた各前記撮影画像からそれぞれライン状に抽出され、各前記レンズのそれぞれ対応する位置に配列された表示用画像列により構成され、
当該可変画像表示体における前記移動体の動き量と背景の動き量の比をｓ：ｔで観察可能であることを特徴とする可変画像表示体。
【請求項２】
トリミングの際は、前記第一基準ラインＬａと前記第三基準ラインＬｅを含む領域をトリミングすることを特徴とする請求項１に記載の可変画像表示体。
【請求項３】
前記合成画像は、
前記ｎ枚の撮影画像のそれぞれについて、当該ｎ枚の撮影画像に現れる前記被写体のサイズが同一となるよう拡縮された後に、前記基準ラインの定義及び前記位置調整及び前記トリミングが行われて形成されることを特徴とする請求項１又は２に記載の可変画像表示体。
【請求項４】
前記ｎ枚の撮影画像に含まれる一の撮影画像に現れる被写体画像を基準被写体画像とし、前記ｎ枚の撮影画像に含まれる他の撮影画像に現れる被写体画像が、前記基準被写体画像と同一サイズとなるよう、前記他の撮影画像を拡縮することを特徴とする請求項３に記載の可変画像表示体。
【請求項５】
前記ｎ枚の撮影画像のうち、前記被写体画像のサイズが最も大きく現れている撮影画像を前記一の撮影画像とすることを特徴とする請求項４に記載の可変画像表示体。
【請求項６】
前記移動体の移動方向のサイズＡ１と、
前記移動体が撮影地点に最も近付いた際に撮影された撮影画像を前記一の撮影画像とし、かつ、この際の前記移動体と前記撮影地点の直線距離Ｘ１と、
前記一の撮影画像を撮影した際の前記移動体と前記撮影地点とを結ぶ直線と、前記他の撮影画像を撮影した際の前記移動体と前記撮影地点とを結ぶ直線とが成す角度θ１と、
に基づいて、拡縮率を算出することを特徴とする請求項４又は５に記載の可変画像表示体。
【請求項７】
前記他の撮影画像を前記第一の方向に式１で得られる第一の拡縮率で拡縮し、
前記他の撮影画像を前記第一の方向と直交する第二の方向に式２で得られる第二の拡縮率で拡縮することを特徴とする請求項６に記載の可変画像表示体。
【数１】
2020187255.tif 000006
【請求項８】
前記可変画像表示体は、複数のシリンドリカルレンズが前記第一の方向に配列されたレンチキュラーシートと、前記シリンドリカルレンズの表面とは反対側の面に配置された合成画像を有する前記可変画像表示体であって、
前記合成画像は、前記シリンドリカルレンズと作用して可変画像を表示するレンチキュラー合成画像であることを特徴とする請求項１乃至７のいずれか一項に記載の可変画像表示体。
【請求項９】
前記可変画像表示体は、複数のドットレンズが前記第一の方向及び当該第一の方向と直交する第二の方向に配列されたドットレンズシートと、前記ドットレンズの表面とは反対側の面に配置された合成画像を有する前記可変画像表示体であって、
前記合成画像は、前記ドットレンズと作用して立体視可能な可変画像を表示する合成画像であることを特徴とする請求項１乃至７のいずれか一項に記載の可変画像表示体。
【請求項１０】
複数のレンズを第一の方向に配列して成るレンズシートと作用して可変画像を表示する合成画像を形成する合成画像形成方法であって、可変画像における移動体の動き量と背景の動き量の比をｓ：ｔで観察可能な前記合成画像を形成する前記合成画像形成方法において、
前記合成画像の元画像は、前記移動体を被写体として連続して撮影したｎ枚（ただし、ｎは３以上の自然数）の撮影画像であって、かつ、当該ｎ枚の撮影画像に現れる前記移動体の像である被写体画像が、少なくとも前記第一の方向に直交する方向へ移動している前記ｎ枚の撮影画像であって、
前記ｎ枚の撮影画像のうち最初の撮影画像に基準ラインを定義する基準ライン定義工程と、
前記基準ライン定義工程にて定義された基準ラインに基づいて、前記ｎ枚の撮影画像を位置調整して重ね合わせてトリミングするトリミング工程と、
前記トリミング工程にてトリミングされた各前記撮影画像からそれぞれライン状に抽出され、所定順に配列された画像列を形成する工程と、
を有し、
前記基準ライン定義工程は、
前記最初の撮影画像に定義される基準ラインであって、
当該最初の撮影画像に現れる被写体画像の基準部位を含み、前記第一の方向に平行な第一基準ラインＬａを定義し、かつ、
前記ｎ枚の撮影画像のうちｎ枚目の撮影画像に現れる被写体画像の基準部位に対応する部位を含み、前記第一の方向に平行な第二基準ラインＬｂを定義し、かつ、
前記第一基準ラインＬａと前記第二基準ラインＬｂの間に位置し、前記第一基準ラインＬａからの距離と前記第二基準ラインＬｂからの距離の比が、ｓ：ｔである第三基準ラインＬｅを定義し、かつ、
前記第一基準ラインＬａと前記第三基準ラインＬｅの間に、前記第一基準ラインＬａと前記第三基準ラインＬｅとの間を（ｎ−１）等分する（ｎ−２）本の位置合わせ基準ラインであって、前記第三基準ラインＬｅに近い方から順に（ｎ−１）番目の前記位置合わせ基準ライン、（ｎ−２）番目の前記位置合わせ基準ライン、・・・とし、かつ、前記第三基準ラインＬｅをｎ番目の前記位置合わせ基準ラインとして定義し、
前記トリミング工程は、
ｍ枚目の撮影画像に現れる被写体画像の基準部位が、前記最初の撮影画像のｍ番目（ただし、ｍは、０＜ｍ≦ｎである自然数）の位置合わせ基準ライン上となるよう位置調整して重ね合わせて、前記被写体画像を含む領域をトリミングすることを特徴とする合成画像形成方法。
【請求項１１】
前記トリミング工程において、前記第一基準ラインＬａと前記第三基準ラインＬｅを含む領域をトリミングすることを特徴とする請求項１０に記載の合成画像形成方法。
【請求項１２】
前記ｎ枚の撮影画像のそれぞれについて、当該ｎ枚の撮影画像に現れる前記被写体のサイズが同一となるよう拡縮する拡縮工程を有し、
前記拡縮工程の後、前記ｎ枚の撮影画像に対し、前記基準ライン定義工程にて前記基準ラインが定義され、前記トリミング工程にてトリミングが行われることを特徴とする請求項１０又は１１に記載の合成画像形成方法。
【請求項１３】
前記拡縮工程において、前記ｎ枚の撮影画像に含まれる一の撮影画像に現れる被写体画像を基準被写体画像とし、前記ｎ枚の撮影画像に含まれる他の撮影画像に現れる被写体画像が、前記基準被写体画像と同一サイズとなるよう、前記他の撮影画像を拡縮することを特徴とする請求項１２に記載の画像形成方法。
【請求項１４】
前記ｎ枚の撮影画像のうち、前記被写体画像のサイズが最も大きく現れている撮影画像を前記一の撮影画像とすることを特徴とする請求項１３に記載の画像形成方法。
【請求項１５】
前記移動体の移動方向のサイズＡ１と、
前記移動体が撮影地点に最も近付いた際に撮影された撮影画像を前記一の撮影画像とし、かつ、この際の前記移動体と前記撮影地点の直線距離Ｘ１と、
前記一の撮影画像を撮影した際の前記移動体と前記撮影地点とを結ぶ直線と、前記他の撮影画像を撮影した際の前記移動体と前記撮影地点とを結ぶ直線とが成す角度θ１と、
に基づいて、拡縮率を算出することを特徴とする請求項１３又は１４に記載の画像形成方法。
【請求項１６】
前記他の撮影画像を第一の方向に式１で得られる第一の拡縮率で拡縮し、
前記他の撮影画像を前記第一の方向と直交する第二の方向に式２で得られる第二の拡縮率で拡縮することを特徴とする請求項１５に記載の画像形成方法。
【数１】
2020187255.tif 000007
【請求項１７】
前記合成画像形成方法は、複数のシリンドリカルレンズを前記第一の方向に配列して成るレンチキュラーシートと作用して可変画像を表示するレンチキュラー合成画像を形成するレンチキュラー合成画像形成方法であることを特徴とする請求項１０乃至１６のいずれか一項に記載の合成画像形成方法。
【請求項１８】
前記合成画像形成方法は、複数のドットレンズを前記第一の方向及び当該第一の方向と直交する第二の方向に配列して成るドットレンズシートと作用して立体視可能な可変画像を表示する合成画像を形成することを特徴とする請求項１０乃至１６のいずれか一項に記載の合成画像形成方法。
【発明の詳細な説明】
【技術分野】
【０００１】
本発明は、複数のレンズが第一の方向に配列されたレンズシートと、レンズの表面とは反対側の面に配置された合成画像を有する可変画像表示体、及び合成画像の形成方法に関する。
【背景技術】
【０００２】
複数のシリンドリカルレンズが並列配置されたレンチキュラーシートを用いて視認角度によって絵柄を切り替えて表示するチェンジングやムービングなどの可変画像を表示する技術がある。レンチキュラーシートには、シリンドリカルレンズのそれぞれに対応させたライン状の細分化画像を、レンチキュラーシートの各シリンドリカルレンズと反対側の面に配置させる。これにより、ユーザーがシリンドリカルレンズを介して画像を視認すると、視認される画像が見る角度を変えることにより切り替わり動画のように観察することが可能になる。
【０００３】
このようなレンチキュラーシートを用いた画像表示に関し、たとえば特許文献１には、レンチキュラーレンズに相当するレンチキュラーシートと複数の画像を用いて合成されたサンプリング画像とからなる立体、アニメーション、或いはチェンジング画像表示方式において、画像配列に画像変化の無い部分を抽出した画像を組み込み配列したことで、観察時のクロストークを軽減し、鮮明なチェンジングを行う技術が開示されている。
例えば、移動している電車を連続撮影した画像を用いて、可変画像表示を楽しみたい場合がある。この場合、大きく分けて４つの方法がある。
【０００４】
第一の方法は、背景は単独（静止）画像を用いて固定し、当該固定された背景画像上で被写体像を動かす方法である。この場合、被写体像は単独画像を左右に動かしてもよいし、複数の画像を合成してもよい。しかし、この方法では、背景に変化がなく、合成画像であることがわかりやすく臨場感はない。被写体が移動するため、車輪の回転の様子や汽車の煙など被写体の細部の再現が困難だという問題がある。
【０００５】
第二の方法は、複数画像を用いて背景を合成して生成し、生成された合成背景画像を固定して、この上で被写体像を動かす方法である。具体的には、背景の移動が無いように位置を合わせて背景の合成画像を生成固定する。そしてこの上で被写体の画像を動かす。被写体像は固定画像（静止画合成）でも複数画像の合成でもよい。この方法では、被写体が左右に移動するため被写体が移動していることは表現できるが、やはり、被写体が移動するため、車輪の回転の様子や汽車の煙など被写体の細部の再現が困難だという問題がある。
【０００６】
第三の方法は、単独の被写体画像を固定し、背景のほうを動かす方法である。この方法によれば、被写体をシャープに再現できるが、車輪の回転の様子や汽車の煙など被写体の細部の変化がないため、面白みに欠ける。
【０００７】
第四の方法は、複数画像を用いて被写体像を固定して合成する。つまり、被写体像を固定し、背景と被写体共に複数画像を合成する方法である。この方法によれば、被写体をシャープにくっきりと見せながら、動きに伴う車輪の回転の様子や汽車の煙など被写体の細部を再現でき、臨場感を出す事ができるという利点がある。しかし、撮影時におけるカメラと被写体の距離の変化に伴って、被写体の大きさが撮影画像ごとに違って写る。そして、このような撮影画像を使用して、被写体の合成画像を生成し固定し、背景の合成画像だけが動くように画像を設計して可変表示用のレンチキュラー合成画像を作成すると被写体の大きさの変化が目立つ。例えば、可変画像表示において左から右へ動画のように移動する電車が、左から右へと移動する間に、電車の大きさが伸びたり縮んだり変化するように見えてしまい、違和感がある。
当該第四の方法における問題等に鑑みて、可変画像を違和感なく表示する出願人による技術が開示されている。
【先行技術文献】
【特許文献】
【０００８】
【特許文献１】特許第６２６１０６３号公報
【発明の概要】
【発明が解決しようとする課題】
【０００９】
一方で、背景の動きが大きくなると背景画像のシャープさが失われ、ぼやけた画像になるという問題がある。特に、背景の動きが大きいほどシャープに見えにくくなり、小さいとシャープに見えやすい。
背景画像をぼやけずに見せるには、背景の動きを小さくすればよい。しかし、その場合、被写体の動きのスピード感が損なわれる。特に、新幹線のように移動スピードが速い被写体の場合は、スピード感が重要であるため、具合が悪い。
【００１０】
本発明の目的は、（１）被写体が動いていることを表現し、かつ、（２）被写体はできるだけシャープに再現し、（３）背景も動いていることを表現し、（４）背景もできるだけシャープに再現、することができる可変画像表示体及び合成画像形成方法を提供することにある。
【課題を解決するための手段】
【００１１】
本発明の可変画像表示体は、複数のレンズが第一の方向に配列されたレンズシートと、前記レンズの表面とは反対側の面に配置された合成画像を有する可変画像表示体において、前記合成画像の元画像は、移動体を被写体として連続して撮影したｎ枚（ただし、ｎは３以上の自然数）の撮影画像であって、かつ、当該ｎ枚の撮影画像に現れる前記移動体の像である被写体画像が、少なくとも前記第一の方向に直交する方向へ移動している前記ｎ枚の撮影画像であって、前記合成画像は、前記ｎ枚の撮影画像のうち最初の撮影画像に定義される基準ラインであって、当該最初の撮影画像に現れる被写体画像の基準部位を含み、前記第一の方向に平行な第一基準ラインＬａを定義し、前記ｎ枚の撮影画像のうちｎ枚目の撮影画像に現れる被写体画像の基準部位に対応する部位を含み、前記第一の方向に平行な第二基準ラインＬｂを定義し、前記第一基準ラインＬａと前記第二基準ラインＬｂの間に位置し、前記第一基準ラインＬａからの距離と前記第二基準ラインＬｂからの距離の比が、ｓ：ｔである第三基準ラインＬｅを定義し、前記第一基準ラインＬａと前記第三基準ラインＬｅの間に、前記第一基準ラインＬａと前記第三基準ラインＬｅとの間を（ｎ−１）等分する（ｎ−２）本の位置合わせ基準ラインであって、前記第三基準ラインＬｅに近い方から順に（ｎ−１）番目の前記位置合わせ基準ライン、（ｎ−２）番目の前記位置合わせ基準ライン、・・・とし、かつ、前記第三基準ラインＬｅをｎ番目の前記位置合わせ基準ラインとして定義し、前記ｎ枚の撮影画像を重ね合わせてトリミングする際、ｍ枚目の撮影画像に現れる被写体画像の基準部位が、前記最初の撮影画像のｍ番目（ただし、ｍは、０＜ｍ≦ｎである自然数）の位置合わせ基準ライン上となるよう位置調整して重ね合わせて、前記被写体画像を含む領域をトリミングし、トリミングされた各前記撮影画像からそれぞれライン状に抽出され、各前記レンズのそれぞれ対応する位置に配列された表示用画像列により構成され、当該可変画像表示体における前記移動体の動き量と背景の動き量の比をｓ：ｔで観察可能であることを特徴とする。
【００１２】
トリミングの際は、前記第一基準ラインＬａと前記第三基準ラインＬｅを含む領域をトリミングしてもよい。
【００１３】
前記合成画像は、前記ｎ枚の撮影画像のそれぞれについて、当該ｎ枚の撮影画像に現れる前記被写体のサイズが同一となるよう拡縮された後に、前記基準ラインの定義及び前記位置調整及び前記トリミングが行われて形成されるよう構成してもよい。
【００１４】
前記ｎ枚の撮影画像に含まれる一の撮影画像に現れる被写体画像を基準被写体画像とし、前記ｎ枚の撮影画像に含まれる他の撮影画像に現れる被写体画像が、前記基準被写体画像と同一サイズとなるよう、前記他の撮影画像を拡縮してもよい。
【００１５】
前記ｎ枚の撮影画像のうち、前記被写体画像のサイズが最も大きく現れている撮影画像を前記一の撮影画像としてもよい。
【００１６】
前記移動体の移動方向のサイズＡ１と、前記移動体が撮影地点に最も近付いた際に撮影された撮影画像を前記一の撮影画像とし、かつ、この際の前記移動体と前記撮影地点の直線距離Ｘ１と、前記一の撮影画像を撮影した際の前記移動体と前記撮影地点とを結ぶ直線と、前記他の撮影画像を撮影した際の前記移動体と前記撮影地点とを結ぶ直線とが成す角度θ１と、に基づいて、拡縮率を算出してもよい。
【００１７】
前記他の撮影画像を前記第一の方向に式１で得られる第一の拡縮率で拡縮し、前記他の撮影画像を前記第一の方向と直交する第二の方向に式２で得られる第二の拡縮率で拡縮してもよい。
【数１】
2020187255.tif 000003
【００１８】
前記可変画像表示体は、複数のシリンドリカルレンズが前記第一の方向に配列されたレンチキュラーシートと、前記シリンドリカルレンズの表面とは反対側の面に配置された合成画像を有する前記可変画像表示体であって、前記合成画像は、前記シリンドリカルレンズと作用して可変画像を表示するレンチキュラー合成画像であるよう構成してもよい。
【００１９】
前記可変画像表示体は、複数のドットレンズが前記第一の方向及び当該第一の方向と直交する第二の方向に配列されたドットレンズシートと、前記ドットレンズの表面とは反対側の面に配置された合成画像を有する前記可変画像表示体であって、前記合成画像は、前記ドットレンズと作用して立体視可能な可変画像を表示する合成画像であるよう構成してもよい。
【００２０】
本発明の合成画像形成方法は、複数のレンズを第一の方向に配列して成るレンズシートと作用して可変画像を表示する合成画像を形成する合成画像形成方法であって、可変画像における移動体の動き量と背景の動き量の比をｓ：ｔで観察可能な前記合成画像を形成する前記合成画像形成方法において、前記合成画像の元画像は、前記移動体を被写体として連続して撮影したｎ枚（ただし、ｎは３以上の自然数）の撮影画像であって、かつ、当該ｎ枚の撮影画像に現れる前記移動体の像である被写体画像が、少なくとも前記第一の方向に直交する方向へ移動している前記ｎ枚の撮影画像であって、前記ｎ枚の撮影画像のうち最初の撮影画像に基準ラインを定義する基準ライン定義工程と、前記基準ライン定義工程にて定義された基準ラインに基づいて、前記ｎ枚の撮影画像を位置調整して重ね合わせてトリミングするトリミング工程と、前記トリミング工程にてトリミングされた各前記撮影画像からそれぞれライン状に抽出され、所定順に配列された画像列を形成する工程と、を有し、前記基準ライン定義工程は、前記最初の撮影画像に定義される基準ラインであって、当該最初の撮影画像に現れる被写体画像の基準部位を含み、前記第一の方向に平行な第一基準ラインＬａを定義し、かつ、前記ｎ枚の撮影画像のうちｎ枚目の撮影画像に現れる被写体画像の基準部位に対応する部位を含み、前記第一の方向に平行な第二基準ラインＬｂを定義し、かつ、前記第一基準ラインＬａと前記第二基準ラインＬｂの間に位置し、前記第一基準ラインＬａからの距離と前記第二基準ラインＬｂからの距離の比が、ｓ：ｔである第三基準ラインＬｅを定義し、かつ、前記第一基準ラインＬａと前記第三基準ラインＬｅの間に、前記第一基準ラインＬａと前記第三基準ラインＬｅとの間を（ｎ−１）等分する（ｎ−２）本の位置合わせ基準ラインであって、前記第三基準ラインＬｅに近い方から順に（ｎ−１）番目の前記位置合わせ基準ライン、（ｎ−２）番目の前記位置合わせ基準ライン、・・・とし、かつ、前記第三基準ラインＬｅをｎ番目の前記位置合わせ基準ラインとして定義し、前記トリミング工程は、ｍ枚目の撮影画像に現れる被写体画像の基準部位が、前記最初の撮影画像のｍ番目（ただし、ｍは、０＜ｍ≦ｎである自然数）の位置合わせ基準ライン上となるよう位置調整して重ね合わせて、前記被写体画像を含む領域をトリミングすることを特徴とする。
【００２１】
前記トリミング工程において、前記第一基準ラインＬａと前記第三基準ラインＬｅを含む領域をトリミングしてもよい。
【００２２】
前記ｎ枚の撮影画像のそれぞれについて、当該ｎ枚の撮影画像に現れる前記被写体のサイズが同一となるよう拡縮する拡縮工程を有し、前記拡縮工程の後、前記ｎ枚の撮影画像に対し、前記基準ライン定義工程にて前記基準ラインが定義され、前記トリミング工程にてトリミングを行うよう構成してもよい。
【００２３】
前記拡縮工程において、前記ｎ枚の撮影画像に含まれる一の撮影画像に現れる被写体画像を基準被写体画像とし、前記ｎ枚の撮影画像に含まれる他の撮影画像に現れる被写体画像が、前記基準被写体画像と同一サイズとなるよう、前記他の撮影画像を拡縮してもよい。
【００２４】
前記ｎ枚の撮影画像のうち、前記被写体画像のサイズが最も大きく現れている撮影画像を前記一の撮影画像としてもよい。
【００２５】
前記移動体の移動方向のサイズＡ１と、前記移動体が撮影地点に最も近付いた際に撮影された撮影画像を前記一の撮影画像とし、かつ、この際の前記移動体と前記撮影地点の直線距離Ｘ１と、
前記一の撮影画像を撮影した際の前記移動体と前記撮影地点とを結ぶ直線と、前記他の撮影画像を撮影した際の前記移動体と前記撮影地点とを結ぶ直線とが成す角度θ１と、に基づいて、拡縮率を算出してもよい。
【００２６】
前記他の撮影画像を第一の方向に式１で得られる第一の拡縮率で拡縮し、前記他の撮影画像を前記第一の方向と直交する第二の方向に式２で得られる第二の拡縮率で拡縮してもよい。
【数１】
2020187255.tif 000004
【００２７】
前記合成画像形成方法は、複数のシリンドリカルレンズを前記第一の方向に配列して成るレンチキュラーシートと作用して可変画像を表示するレンチキュラー合成画像を形成してもよい。
【００２８】
前記合成画像形成方法は、複数のドットレンズを前記第一の方向及び当該第一の方向と直交する第二の方向に配列して成るドットレンズシートと作用して立体視可能な可変画像を表示する合成画像を形成してもよい。
【発明の効果】
【００２９】
本発明の可変画像表示体によれば、（１）被写体が動いていることを表現し、かつ、（２）被写体はできるだけシャープに再現し、（３）背景も動いていることを表現し、（４）背景もできるだけシャープに再現、することができる。
本発明の合成画像形成方法によれば、（１）被写体が動いていることを表現し、かつ、（２）被写体はできるだけシャープに再現し、（３）背景も動いていることを表現し、（４）背景もできるだけシャープに再現、することができる可変画像を表示可能な合成画像を実現できる。
【図面の簡単な説明】
【００３０】
【図１】本発明の可変画像表示体の一例を示す概略図である。
【図２】本発明の可変画像表示体の他の例を示す概略図である。
【図３】撮影画像の一例を示す説明図である。
【図４】最初の撮影画像２０(１)に基準ラインを定義する手順を示す説明図である。
【図５】最初の撮影画像２０(１)に基準ラインを定義する手順を示す説明図である。
【図６】最初の撮影画像２０(１)に定義される基準ラインの一例を示す説明図である。
【図７】ｎ枚の撮影画像２０(１)〜２０(ｎ)の位置調整に関する説明図である。
【図８】トリミング後の撮影画像の一例を示す説明図である。
【図９】トリミング後の撮影画像から作成された表示用画像列とレンチキュラー合成画像の一例を示す説明図である。
【図１０】表示用画像列に基づいて形成したレンチキュラー合成画像の一例を示す拡大概略図である。
【図１１】レンチキュラー合成画像が配置された可変画像表示体の一例を示す説明図である。
【図１２】図１１に示すレンチキュラー合成画像を示す概略平面図である。
【図１３】撮影画像の一例を示す説明図である。
【図１４】基準被写体画像の一例を示す説明図である。
【図１５】拡縮後の撮影画像の一例を示す説明図である。
【図１６】撮影パラメータに基づいて算出される拡縮率の算出方法の説明図である。
【発明を実施するための形態】
【００３１】
本発明の実施形態について、図面を参照して説明する。ただし、以下に説明する実施形態は、あくまでも例示であり、以下に明示しない種々の変形や技術の適用を排除する意図はない。即ち、本発明は、その効果を奏する限りにおいて種々変形(各実施例を組み合わせる等)して実施することができる。また、以下の図面の記載において、同一又は類似の部分には同一又は類似の符号を付して表している。図面は模式的なものであり、必ずしも実際の寸法や比率等とは一致しない。図面相互間においても互いの寸法の関係や比率が異なる部分が含まれていることがある。
【００３２】
図１は、本発明の可変画像表示体の一例を示す概略図、図２は、本発明の可変画像表示体の他の例を示す概略図である。
本実施形態による可変画像表示体１００は、図１、２に示すように、半円筒形状のシリンドリカルレンズが並列配置されたレンチキュラーシート１０と、レンチキュラー合成画像２０により構成される。レンチキュラー合成画像２０は、シリンドリカルレンズの表面とは反対側の面に配置されていればよい。
また、可変画像表示体１００は、例えば、図２に示すような画像形成媒体３０にレンチキュラー合成画像２０を形成し、これをレンチキュラーシート１０と重ね合わせて構成してもよい。画像形成媒体３０は、例えば、紙、木板、フィルム、金属等である。
【００３３】
本実施形態では、複数のシリンドリカルレンズが第一の方向に配列されたレンチキュラーシートを、本発明の複数のレンズが第一の方向に配列されたレンズシートの一例として説明する。また、本発明の画像の一例として、例えば、新幹線等の被写体を連続して複数枚撮影した撮影画像を元画像とし、元画像を本発明の画像の一例として説明する。
【００３４】
図３は、撮影画像の一例を示す説明図である。図４及び図５は、最初の撮影画像２０(１)に基準ラインを定義する手順を示す説明図である。図６は、最初の撮影画像２０(１)に定義される基準ラインの一例を示す説明図である。図７は、ｎ枚の撮影画像２０(１)〜２０(ｎ)の位置調整に関する説明図である。図８は、トリミング後の撮影画像の一例を示す説明図である。図９は、トリミング後の撮影画像から作成された表示用画像列とレンチキュラー合成画像の一例を示す説明図である。
なお、図において、構成を理解し易くするためにレンチキュラーシートのシリンドリカルレンズの数は省略して図示している。
【００３５】
本実施形態による可変画像表示体１００は、複数のレンズの一例であるシリンドリカルレンズが第一の方向に配列されたレンズシートの一例であるレンチキュラーシート１０と、シリンドリカルレンズの表面とは反対側の面に配置された合成画像の一例であるレンチキュラー合成画像２０を有する可変画像表示体である。レンチキュラー合成画像２０の元画像は、移動体を被写体として連続して撮影したｎ枚（ただし、ｎは３以上の自然数）の撮影画像２０(１)〜２０(ｎ)であって、かつ、当該ｎ枚の撮影画像２０(１)〜２０(ｎ)に現れる移動体の像である被写体画像２１が、少なくとも第一の方向に直交する方向へ移動しているｎ枚の撮影画像２０(１)〜２０(ｎ)である。
【００３６】
そして、レンチキュラー合成画像は、
（１）まず、ｎ枚の撮影画像２０(１)〜２０(ｎ)のうち最初の撮影画像２０(１)に定義される基準ラインであって、当該最初の撮影画像２０(１)に現れる被写体画像２１の基準部位を含み、第一の方向に平行な第一基準ラインＬａを定義し、ｎ枚の撮影画像２０(１)〜２０(ｎ)のうちｎ枚目の撮影画像に現れる被写体画像２１の基準部位に対応する部位を含み、第一の方向に平行な第二基準ラインＬｂを定義し、第一基準ラインＬａと第二基準ラインＬｂの間に位置し、第一基準ラインＬａからの距離と第二基準ラインＬｂらの距離の比が、ｓ：ｔである第三基準ラインＬｅを定義し、第一基準ラインＬａと第三基準ラインＬｅの間に、第一基準ラインＬａと第三基準ラインＬｅとの間を（ｎ−１）等分する（ｎ−２）本の位置合わせ基準ラインであって、第三基準ラインＬｅに近い方から順に（ｎ−１）番目の位置合わせ基準ラインＬ（ｎ−１）、（ｎ−２）番目の位置合わせ基準ラインＬ（ｎ−２）、・・・とし、かつ、第三基準ラインＬｅをｎ番目の位置合わせ基準ラインＬ（ｎ）として定義する。
【００３７】
（２）そして、ｎ枚の撮影画像２０(１)〜２０(ｎ)を重ね合わせてトリミングする際、ｍ枚目の撮影画像２０(１)〜２０(ｎ)に現れる被写体画像２１の基準部位が、最初の撮影画像(１)のｍ番目（ただし、ｍは、０＜ｍ≦ｎである自然数）の位置合わせ基準ライン上となるよう位置調整して重ね合わせて、被写体画像２１を含む領域をトリミングし、トリミングされた各撮影画像からそれぞれライン状に抽出され、各シリンドリカルレンズのそれぞれ対応する位置に配列された表示用画像列２０(１)''ａ、２０(１)''ｂ、２０(１)''ｃ、２０(１)''ｄ、…、２０(ｎ)''ｆにより構成される。
そして、可変画像表示体１００における移動体の動き量と背景の動き量の比をｓ：ｔで観察可能に構成する。
【００３８】
本実施形態では移動体の一例として新幹線を例に説明する。図３は、新幹線を被写体２１として連続して撮影したｎ枚の撮影画像であり、本実施形態では図示のように５枚（ｎ＝５）の撮影画像２０(１)、２０(２)、２０(３)、２０(４)、２０(５)を例に説明する。撮影画像２０(１)〜２０(５)に現れる新幹線の像である被写体画像が、シリンドリカルレンズの配列方向（第一の方向）に直交する方向に移動している。図３の撮影画像２０(１)〜２０(５)の例では、新幹線が徐々に左に移動している。
【００３９】
なお、撮影画像２０(１)〜２０(５)に複数の被写体が写っている場合、任意の被写体の画像を被写体画像２１とする。ここで、「被写体画像」とは、後述する位置調整において基準となる画像である。好ましくは、撮影画像２０(１)〜２０(５)中、動きを違和感なくシャープに見せることを所望する被写体の画像を被写体画像２１とする。
【００４０】
被写体画像の移動方向は、シリンドリカルレンズの配列方向（第一の方向）に直交する方向に限らない。被写体画像の移動方向は、シリンドリカルレンズの配列方向である第一の方向へ移動する移動成分と、当該第一の方向と直交する方向である第二の方向の移動成分を有していてもよい。
【００４１】
図３に示す例では、被写体画像が、シリンドリカルレンズの配列方向（第一の方向）に直交する第二の方向に移動しているが、例えば、図中、左上から右下へと移動しているような場合、すなわち、シリンドリカルレンズの配列方向である第一の方向の移動成分と、当該第一の方向と直交する方向である第二の方向の移動成分を有していてもよい。
【００４２】
まず、ｎ枚の撮影画像のうち最初の撮影画像２０(１)に基準ラインを定義する。撮影画像２０(１)に現れる被写体画像２１の基準部位を含み、シリンドリカルレンズの配列方向（第一の方向）と平行な第一基準ラインＬａを撮影画像２０(１)に定義する。図４は、「新幹線の先端部分」を、基準部位とした例である。
第一基準ラインＬａは、当該新幹線の先端部分を含み、かつ、シリンドリカルレンズの配列方向（第一の方向）と平行なラインである。
【００４３】
また、ｎ枚の撮影画像２０(１)〜２０(ｎ)のうちｎ枚目の撮影画像に現れる被写体画像２１の基準部位に対応する部位を含み、シリンドリカルレンズの配列方向（第一の方向）に平行な第二基準ラインＬｂを撮影画像２０(１)に定義する。
図４に示す例は、ｎ＝５の例であり、第二基準ラインＬｂは、「５枚目の撮影画像２０（５）に現れる被写体画像２１の基準部位」、つまり、「撮影画像２０（５）に現れる新幹線の先端部分」、に対応する部位を含み、かつ、シリンドリカルレンズの配列方向（第一の方向）と平行なラインである。説明のため、図４の撮影画像２０（１）において、「撮影画像２０（５）に現れる新幹線の先端部分」に対応する部位を星印で示した。
【００４４】
次いで、撮影画像２０（１）に定義した第一基準ラインＬａと第二基準ラインＬｂの間に位置し、第一基準ラインＬａからの距離と第二基準ラインＬｂからの距離の比が、ｓ：ｔである第三基準ラインＬｅを、撮影画像２０(１)に更に定義する。ここで、ｓ：ｔの比率は、可変画像表示体１００として観察する際の、背景の動き量と移動体の動き量の比率である。
【００４５】
背景を動かし移動体を固定した場合には、ｓ：ｔ＝１０：０であり、背景を固定し移動体を動かした場合には、ｓ：ｔ＝０：１０である。背景の動き量と移動体の動き量の比率を所望の比率に設定することができる。例えば、（ｓ：ｔ＝９９：１）乃至（ｓ：ｔ＝１：９９）の間で設定することができる。実際に移動体を目で見て観察する際の移動体のスピード感や、撮影された背景の明るさや画質など種々の状況に鑑みて、移動体と背景の双方が最もシャープに見える比率を適宜設定することができる。
【００４６】
図５は、第三基準ラインＬｅを、第一基準ラインＬａと第二基準ラインＬｂの間に位置し、第一基準ラインＬａからの距離と第二基準ラインＬｂからの距離の比が、５：５となる箇所に位置させた例である。すなわち、可変画像表示体１００にて観察した際に背景と移動体が同じ動き量（ｓ：ｔ＝５：５）で動くように設定する場合の例である。
【００４７】
そして、第一基準ラインＬａと第三基準ラインＬｅの間に、第一基準ラインＬａと第三基準ラインＬｅとの間を撮影画像の枚数で等分する位置合わせ基準ラインを、撮影画像２０(１)に更に定義する。つまり、第一基準ラインＬａと第三基準ラインＬｅとの間を（ｎ−１）等分する（ｎ−２）本の位置合わせ基準ラインを撮影画像２０(１)に定義する。
【００４８】
図６に示す例は、ｎ＝５の例であり、撮影画像２０(１)に、第一基準ラインＬａと第三基準ラインＬｅとの間を４等分する３本（（ｎ−２）＝（５−２）本）の位置合わせ基準ラインを定義する。位置合わせ基準ラインは、第三基準ラインＬｅに近い方から順に（ｎ−１）番目の位置合わせ基準ラインＬ（ｎ−１）、（ｎ−２）番目の位置合わせ基準ラインＬ（ｎ−２）、・・・とする。また、第三基準ラインＬｅは、ｎ番目の位置合わせ基準ラインＬ（ｎ）として利用され定義されることとなる。
以上の手順で、最初の撮影画像２０(１)に基準ラインを定義する。
【００４９】
そして、ｎ枚の撮影画像２０(１)〜２０(ｎ)を重ね合わせてトリミングする。
この重ね合わせの際、最初の撮影画像２０(１)に定義した基準ラインに基づいてｎ枚の撮影画像２０(１)〜２０(ｎ)を位置調整して重ね合わせる。ｍ枚目の撮影画像２０(１)〜２０(ｎ)に現れる被写体画像２１の基準部位が、最初の撮影画像(１)のｍ番目（ただし、ｍは、０＜ｍ≦ｎである自然数）の位置合わせ基準ライン上となるよう位置調整して重ね合わせる。
【００５０】
ｎ＝５の例である図７を参照して説明する。
５枚目の撮影画像２０（５）は、当該撮影画像２０（５）に現れる被写体画像２１の基準部位（新幹線の先端部分）が、最初の撮影画像(１)に定義した５番目の位置合わせ基準ラインＬ（ｎ）上となるよう位置調整して重ね合わせる。
４枚目の撮影画像２０（４）は、当該撮影画像２０（４）に現れる被写体画像２１の基準部位（新幹線の先端部分）が、最初の撮影画像(１)に定義した４番目の位置合わせ基準ラインＬ（ｎ−１）上となるよう位置調整して重ね合わせる。
３枚目の撮影画像２０（３）は、当該撮影画像２０（３）に現れる被写体画像２１の基準部位（新幹線の先端部分）が、最初の撮影画像(１)に定義した３番目の位置合わせ基準ラインＬ（ｎ−２）上となるよう位置調整して重ね合わせる。
２枚目の撮影画像２０（２）は、当該撮影画像２０（２）に現れる被写体画像２１の基準部位（新幹線の先端部分）が、最初の撮影画像(１)に定義した２番目の位置合わせ基準ラインＬ（ｎ−３）上となるよう位置調整して重ね合わせる。
１枚目の撮影画像２０（１）はそのまま使用することができる。１枚目の撮影画像２０（１）に現れる被写体画像２１の基準部位（新幹線の先端部分）は、第一基準ラインＬａ上である。
【００５１】
位置合わせの後、ｎ枚の撮影画像２０(１)〜２０(ｎ)をトリミングし、トリミング後のｎ枚の撮影画像２０(１)''〜２０(ｎ)''を得る。図８に示す例は、ｎ＝５の例であり、トリミング後の撮影画像２０(１)''、２０(２)''、２０(３)''、２０(４)''、２０(５)''である。図８の例では、１枚目の撮影画像２０（１）に定義した第一基準ラインＬａと第三基準ラインＬｅを含む領域をトリミングした。
【００５２】
なお、トリミングでは、ｎ枚の撮影画像の全てに写る領域をトリミングしてもよい。特に、被写体画像２１についてｎ枚全ての撮影画像に写る領域をトリミングしてもよい。或いは、可変画像表示体１００における可変画像表示に与える影響等を鑑みてトリミング領域を決定すればよい。完成される可変画像表示への影響が許容範囲である領域をトリミングすればよい。
【００５３】
トリミング後の撮影画像２０(１)''〜２０(ｎ)''から画像列を抽出してレンチキュラー合成画像２０を形成する。なお、撮影画像２０(１)''〜２０(ｎ)''から画像列を抽出してレンチキュラー合成画像２０を形成する工程は、従来公知のレンチキュラー合成画像の形成方法と同様であるためここでは簡単な説明に留める。
【００５４】
先ず、図９に示す例は、ｎ＝５の例であり、撮影画像２０(１)''〜２０(５)''をそれぞれライン状に抽出し、所定順に配列して画像列を形成する。図９に示す例ではシリンドリカルレンズの対応する位置に表示用画像列として配列される。
具体的には、撮影画像２０(１)''から、表示用画像列２０(１)''ａ、２０(１)''ｂ、２０(１)''ｃ、２０(１)''ｄ、２０(１)''ｅ、２０(１)''ｆを抽出する。
撮影画像２０(２)''から、表示用画像列２０(２)''ａ、２０(２)''ｂ、２０(２)''ｃ、２０(ii)''ｄ、２０(２)''ｅ、２０(２)''ｆを抽出する。同様に、撮影画像２０(３)''からも表示用画像列２０(３)''ａ〜２０(３)''ｆが抽出され、撮影画像２０(４)''からも表示用画像列２０(４)''ａ〜２０(４)''ｆが抽出され、撮影画像２０(５)''からも表示用画像列２０(５)''ａ〜２０(５)''ｆが抽出される。
【００５５】
そして、抽出された表示用画像列を各シリンドリカルレンズに対応するよう配列させ、レンチキュラー合成画像２０（２０ａ、２０ｂ、２０ｃ、２０ｄ、２０ｅ、２０ｆ）を形成する。
【００５６】
図１０は、表示用画像列に基づいて形成したレンチキュラー合成画像の一例を示す拡大概略図である。図１１は、レンチキュラー合成画像２０（２０ａ、２０ｂ、２０ｃ、２０ｄ、２０ｅ、２０ｆ）が配置された可変画像表示体１００の一例を示す説明図である。図１２は、図１１に示すレンチキュラー合成画像２０（２０ａ、２０ｂ、２０ｃ、２０ｄ、２０ｅ、２０ｆ）を示す概略平面図である。
【００５７】
図１０乃至図１２に示すように、ｋ番目のシリンドリカルレンズに対応した位置には、撮影画像２０(１)''から抽出された表示用画像列２０(１)''ａと、撮影画像２０(２)''から抽出された表示用画像列２０(２)''ａと、撮影画像２０(３)''から抽出された表示用画像列２０(３)''ａと、撮影画像２０(４)''から抽出された表示用画像列２０(４)''ａと、撮影画像２０(５)''から抽出された表示用画像列２０(５)''ａが配置され、レンチキュラー合成画像２０を構成するレンチキュラー画像２０ａを形成している。
【００５８】
また、（ｋ＋１）番目のシリンドリカルレンズに対応した位置には、撮影画像２０(１)''から抽出された表示用画像列２０(１)''ｂと、撮影画像２０(２)''から抽出された表示用画像列２０(２)''ｂと、撮影画像２０(３)''から抽出された表示用画像列２０(３)''ｂと、撮影画像２０(４)''と、撮影画像２０(５)''から抽出された表示用画像列２０(５)''ｂから抽出された表示用画像列２０(４)''ｂが配置され、レンチキュラー合成画像２０を構成するレンチキュラー画像２０ｂを形成している。
他のシリンドリカルレンズ下でも同様に画像列が配列され、レンチキュラー画像２０ａ、２０ｂ、２０ｃ、２０ｄ、２０ｅ、２０ｆにより、レンチキュラー合成画像２０を形成している。
【００５９】
このような画像列群によって形成されたレンチキュラー合成画像２０をレンズ側（図１１中左側）から観察した場合、観察する角度によって、撮影画像２０(１)''〜撮影画像２０(５)''の何れかのみが表示され、角度を変えることで見える画像が変わり動画のように見える。
【００６０】
以上説明したように、本実施形態の可変画像表示体１００によれば、背景画像の動き量と、移動体の画像である被写体画像の動き量を自在に設定、調節できるので、（１）被写体が動いていることを表現し、かつ、（２）被写体はできるだけシャープに再現し、（３）背景も動いていることを表現し、（４）背景もできるだけシャープに再現、することができる。
【００６１】
ところで、被写体画像２１は、撮影状態により撮影場所と被写体の距離が変化し、撮影画像２０(１)〜２０(ｎ)に現れる被写体画像２１の其々でサイズが異なる場合がある。被写体画像２１のサイズが異なることにより、可変画像表示体１００における可変画像表示に与える影響等を考慮して、例えばその影響が大きい場合には、位置調整を行う前に、撮影画像を拡大又は縮小（拡縮）する処理を行ってもよい。
【００６２】
以下、ｎ枚の撮影画像に現れる被写体のサイズを同一化する撮影画像の拡縮処理について説明する。
図１３は撮影画像の一例を示す説明図である。撮影画像４０（１）〜４０(３)に現れる被写体画像４１のサイズが同一となるよう、撮影画像４０（１）〜４０(３)を拡大又は縮小（拡縮）する。なお、実際の撮影画像には背景も写っているが、図示を省略している。
【００６３】
撮影画像４０（１）〜４０(３)の拡縮方法は、被写体画像４１（又は被写体画像４１の一部）のサイズが同一となればどのような方法であってもよい。例えば、撮影画像４０（１）〜４０(３)のうち、任意の撮影画像に現れる被写体画像４１（又は被写体画像４１の一部）を基準被写体画像とし、任意の撮影画像以外の他の撮影画像に現れる被写体画像４１（又は被写体画像４１の一部）が、上記基準被写体画像と同一サイズとなるよう、他の撮影画像を拡縮するよう構成してもよい。
【００６４】
特に、被写体画像４１（又は被写体画像４１の一部）のサイズが最も大きく現れている撮影画像を任意の撮影画像とすることが好ましい。
図１４は、基準被写体画像の一例を示す説明図である。図１５は、拡縮後の撮影画像の一例を示す説明図である。
図１３の例では、撮影画像４０(３)が、被写体画像４１が最も大きなサイズで現れている。そのため、撮影画像４０(３)中の被写体画像４１（又は被写体画像４１の一部）を基準被写体画像とし（図１４）、他の撮影画像４０(１)、３０(２)を拡大した（図１５）。図１４に示す例では、撮影画像４０（３）に現れる被写体画像４１の一部である「新幹線の先頭車両部分」を基準被写体画像とした。
【００６５】
具体的には、図１４に示すように、撮影画像４０(３)中の被写体画像４１の「新幹線の先頭車両部分」について、レンチキュラーシートに配列されるシリンドリカルレンズの配列方向と同じ方向である第一の方向のサイズＸ、当該第一の方向に直交する方向である第二の方向のサイズＹを測定する。測定結果に基づいて、他の撮影画像４０(１)、４０(２)中に現れる被写体画像２１の「新幹線の先頭車両部分」の第二の方向のサイズがＹ、第一の方向のサイズがＸとなるよう、他の撮影画像４０(１)、４０(２)を拡大する（図１５）。
なお、本実施形態の例では、第一の方向（図１４中、縦方向）が、撮影画像と重ね合される際のレンチキュラーシートのシリンドリカルレンズの配列方向に相当する。
【００６６】
以上の手法により、撮影画像を拡縮し、ｎ枚の撮影画像に現れる被写体のサイズを同一化する。そして、拡縮後の撮影画像４０（１）'〜４０(３)'について、先に詳述したように位置調整を行い（図３乃至図７）、トリミングして（図８）、レンチキュラー合成画像を得る（図９乃至図１２）。
【００６７】
各撮影画像に現れる被写体画像のサイズを同一化した後にレンチキュラー合成画像を形成することにより、被写体画像を鮮明に違和感なく可変表示することができる。特に、被写体画像が第一の方向へ移動しているような場合には、被写体が電車や車等の移動体であっても、被写体の大きさが伸びたり縮んだり変化するように見えることを防いで、違和感のない可変画像を表示できる。撮影画像に現れる被写体画像を使用するので、撮影画像毎に被写体画像に変化がある場合にも、この変化を逃すことなく表現できる。
【００６８】
上述した手法では、撮影画像４０（１）〜４０(３)中の被写体画像４１（又は被写体画像４１の一部）の第一の方向のサイズＸ、当該第一の方向に直交する方向である第二の方向のサイズＹを測定し、この測定結果に基づいて撮影画像４０（１）〜４０(３)を拡縮したが、撮影条件から拡縮率を算出してもよい。
【００６９】
例えば、撮影画像が、上記実施形態の如く移動体を連続して撮影した撮影画像である場合について説明する。すなわち、移動体Ａと撮影地点Ｃが最も近付いたときの直線距離をＸ１とし、この際に撮影された撮影画像を上記一の画像とする。そして、上記他の画像が撮影された際の移動体Ａと撮影地点Ｃの直線距離Ｘ２と上記直線距離Ｘ１とが成す角をθ１とする。そして、移動体Ａの移動方向のサイズＡ１がわかれば、これら直線距離Ｘ１、成す角θ１、サイズＡ１を撮影パラメータとし、当該撮影パラメータに基づいて、上記他の画像の拡縮率を算出することができる。
【００７０】
図１６は、撮影パラメータに基づいて算出される拡縮率の算出方法の一例を示す説明図である。
移動体Ａの移動方向のサイズをＡ１、移動体Ａが撮影地点Ｃと最も近付いた地点をＰｏｉｎｔＰ（１）、地点ＰｏｉｎｔＰ（１）で移動体Ａを撮影した際の移動体Ａと撮影地点Ｃの直線距離をＸ１、移動体Ａが地点ＰｏｉｎｔＰ（２）で撮影された際の移動体Ａと撮影地点Ｃの直線距離をＸ２、直線Ｘ１と直線Ｘ２との成す角をθ１とする。
【００７１】
予め移動体ＡのサイズＡ１、移動体Ａが撮影地点Ｃと最も近付いた地点ＰｏｉｎｔＰ（１）の直線Ｘ１、直線Ｘ１と直線Ｘ２との成す角θ１を取得しておく。そして、これら既知の撮影パラメータであるサイズＡ１、直線Ｘ１、角θ１に基づいて、地点ＰｏｉｎｔＰ（１）で撮影した際の撮影画像を一の撮影画像とし、地点ＰｏｉｎｔＰ（２）で撮影した際の撮影画像を他の撮影画像として、当該他の画像を拡縮する際の拡縮率を求めることができる。
【００７２】
具体的には、地点ＰｏｉｎｔＰ（２）で撮影した際の撮影画像（他の画像）を第一の方向に下記の式１で得られる第一の拡縮率で拡縮し、かつ、第一の方向に直交する第二の方向に下記の式２で得られる第二の拡縮率で拡縮する。第一の方向は、移動体Ａの移動方向に直交する方向であり、第二の方向は、移動体Ａの移動方向である。
【数１】
2020187255.tif 000005
【００７３】
なお、本実施形態の例では、第二の方向が移動体の移動方向である（図１６中、横方向）。そして、第二の方向に直交する第一の方向（図１６中、縦方向）が、撮影画像と重ね合される際のレンチキュラーシートのシリンドリカルレンズの配列方向に相当する。
【００７４】
以上説明したように、撮影パラメータとして、移動体ＡのサイズＡ１、移動体Ａが撮影地点Ｃと最も近付いた地点ＰｏｉｎｔＰ（１）の直線Ｘ１、直線Ｘ１と直線Ｘ２との成す角θ１をあらかじめ計測して取得しておき、これらの撮影パラメータを用いて他の撮影画像の拡縮率を得ることができる。
【００７５】
得られた拡縮率により他の撮影画像を拡縮し、上述した手法により被写体画像（ここでは移動体Ａの像）で位置調節をして重ね合わせ、トリミングを行ない、レンチキュラー合成画像を得る。各撮影画像に現れる被写体画像のサイズを同一化した後にレンチキュラー合成画像を形成することができ、被写体が電車や車等の移動体であっても、被写体のサイズの変化がなく、違和感のない可変画像を表示できる。撮影画像に現れる被写体画像を使用するので、撮影画像毎に被写体画像に変化がある場合にも、この変化を逃すことなく表現できる。
【００７６】
上述した実施形態では、レンチキュラーシートを使用した可変画像表示体及びレンチキュラー合成画像の形成を例に説明したがこれに限定されるものではない。例えば、ドットレンズと作用して立体視可能な可変画像を表示するインテグラルフォトグラフィ方式による可変画像表示体に対しても適用することができる。インテグラルフォトグラフィ方式による可変画像表示体は、複数のドットレンズが第一の方向及び当該第一の方向と直交する第二の方向に配列されたドットレンズシートと、ドットレンズの表面とは反対側の面に配置された合成画像を有するよう構成される。
【００７７】
本発明の適用範囲は上記実施形態に限定されることはない。本発明は、（１）被写体が動いていることを表現し、かつ、（２）被写体はできるだけシャープに再現し、（３）背景も動いていることを表現し、（４）背景もできるだけシャープに再現できる可変画像表示体及び合成画像形成方法に対し、広く適用することができる。
【符号の説明】
【００７８】
１００・・・可変画像表示体
１０・・・レンチキュラーシート（レンズシート）
２０（２０ａ、２０ｂ、２０ｃ、２０ｄ、２０ｅ、２０ｆ）・・・レンチキュラー合成画像（合成画像）
２１・・・被写体画像
２０(１)、２０(２)、２０(３)、２０(４)、２０(５)・・・撮影画像
２０(１)''、２０(２)''、２０(３)''、２０(４)''、２０(５)''・・・トリミング後の撮影画像
４０(１)、４０(２)、４０(３)・・・撮影画像
４１・・・被写体画像
４０(１)’、４０(２)’、４０(３)’・・・拡縮後の撮影画像
【図１】
2020187255.tif 000008
【図２】
2020187255.tif 000009
【図３】
2020187255.tif 000010
【図４】
2020187255.tif 000011
【図５】
2020187255.tif 000012
【図６】
2020187255.tif 000013
【図７】
2020187255.tif 000014
【図８】
2020187255.tif 000015
【図９】
2020187255.tif 000016
【図１０】
2020187255.tif 000017
【図１１】
2020187255.tif 000018
【図１２】
2020187255.tif 000019
【図１３】
2020187255.tif 000020
【図１４】
2020187255.tif 000021
【図１５】
2020187255.tif 000022
【図１６】
2020187255.tif 000023
【手続補正書】
【提出日】令和1年5月14日(2019.5.14)
【手続補正１】
【補正対象書類名】明細書
【補正対象項目名】０００３
【補正方法】変更
【補正の内容】
【０００３】
このようなレンチキュラーシートを用いた画像表示に関し、たとえば特許文献２には、レンチキュラーレンズに相当するレンチキュラーシートと複数の画像を用いて合成されたサンプリング画像とからなる立体、アニメーション、或いはチェンジング画像表示方式において、画像配列に画像変化の無い部分を抽出した画像を組み込み配列したことで、観察時のクロストークを軽減し、鮮明なチェンジングを行う技術が開示されている。
例えば、移動している電車を連続撮影した画像を用いて、可変画像表示を楽しみたい場合がある。この場合、大きく分けて４つの方法がある。
【手続補正２】
【補正対象書類名】明細書
【補正対象項目名】０００８
【補正方法】変更
【補正の内容】
【０００８】
【特許文献１】特許第６２６１０６３号公報
【特許文献２】特開２０００−９８９４８号公報
【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
複数のレンズが第一の方向に配列されたレンズシートと、前記レンズの表面とは反対側の面に配置された合成画像を有する可変画像表示体において、
前記合成画像の元画像は、移動体を被写体として連続して撮影したｎ枚（ただし、ｎは３以上の自然数）の撮影画像であって、かつ、当該ｎ枚の撮影画像に現れる前記移動体の像である被写体画像が、少なくとも前記第一の方向に直交する方向へ移動している前記ｎ枚の撮影画像であって、
前記合成画像は、
前記ｎ枚の撮影画像のうち最初の撮影画像に定義される基準ラインであって、
当該最初の撮影画像に現れる被写体画像の基準部位を含み、前記第一の方向に平行な第一基準ラインＬａを定義し、
前記ｎ枚の撮影画像のうちｎ枚目の撮影画像に現れる被写体画像の基準部位に対応する部位を含み、前記第一の方向に平行な第二基準ラインＬｂを定義し、
前記第一基準ラインＬａと前記第二基準ラインＬｂの間に位置し、前記第一基準ラインＬａからの距離と前記第二基準ラインＬｂからの距離の比が、ｓ：ｔ（ただし、ｔ＝０である場合を除く。）である第三基準ラインＬｅを定義し、
前記第一基準ラインＬａと前記第三基準ラインＬｅの間に、前記第一基準ラインＬａと前記第三基準ラインＬｅとの間を（ｎ−１）等分する（ｎ−２）本の位置合わせ基準ラインであって、前記第三基準ラインＬｅに近い方から順に（ｎ−１）番目の前記位置合わせ基準ライン、（ｎ−２）番目の前記位置合わせ基準ライン、・・・とし、かつ、前記第三基準ラインＬｅをｎ番目の前記位置合わせ基準ラインとして定義し、
前記ｎ枚の撮影画像を重ね合わせてトリミングする際、ｍ枚目の撮影画像に現れる被写体画像の基準部位が、前記最初の撮影画像のｍ番目（ただし、ｍは、０＜ｍ≦ｎである自然数）の位置合わせ基準ライン上となるよう位置調整して重ね合わせて、前記被写体画像を含む領域をトリミングし、
トリミングされた各前記撮影画像からそれぞれライン状に抽出され、各前記レンズのそれぞれ対応する位置に配列された表示用画像列により構成され、
当該可変画像表示体における前記移動体の動き量と背景の動き量の比をｓ：ｔで観察可能であることを特徴とする可変画像表示体。
【請求項２】
トリミングの際は、前記第一基準ラインＬａと前記第三基準ラインＬｅを含む領域をトリミングすることを特徴とする請求項１に記載の可変画像表示体。
【請求項３】
前記合成画像は、
前記ｎ枚の撮影画像のそれぞれについて、当該ｎ枚の撮影画像に現れる前記被写体のサイズが同一となるよう拡縮された後に、前記基準ラインの定義及び前記位置調整及び前記トリミングが行われて形成されることを特徴とする請求項１又は２に記載の可変画像表示体。
【請求項４】
前記ｎ枚の撮影画像に含まれる一の撮影画像に現れる被写体画像を基準被写体画像とし、前記ｎ枚の撮影画像に含まれる他の撮影画像に現れる被写体画像が、前記基準被写体画像と同一サイズとなるよう、前記他の撮影画像を拡縮することを特徴とする請求項３に記載の可変画像表示体。
【請求項５】
前記ｎ枚の撮影画像のうち、前記被写体画像のサイズが最も大きく現れている撮影画像を前記一の撮影画像とすることを特徴とする請求項４に記載の可変画像表示体。
【請求項６】
前記移動体の移動方向のサイズＡ１と、
前記移動体が撮影地点に最も近付いた際に撮影された撮影画像を前記一の撮影画像とし、かつ、この際の前記移動体と前記撮影地点の直線距離Ｘ１と、
前記一の撮影画像を撮影した際の前記移動体と前記撮影地点とを結ぶ直線と、前記他の撮影画像を撮影した際の前記移動体と前記撮影地点とを結ぶ直線とが成す角度θ１と、
に基づいて、拡縮率を算出することを特徴とする請求項４又は５に記載の可変画像表示体。
【請求項７】
前記可変画像表示体は、複数のシリンドリカルレンズが前記第一の方向に配列されたレンチキュラーシートと、前記シリンドリカルレンズの表面とは反対側の面に配置された合成画像を有する前記可変画像表示体であって、
前記合成画像は、前記シリンドリカルレンズと作用して可変画像を表示するレンチキュラー合成画像であることを特徴とする請求項１乃至６のいずれか一項に記載の可変画像表示体。
【請求項８】
前記可変画像表示体は、複数のドットレンズが前記第一の方向及び当該第一の方向と直交する第二の方向に配列されたドットレンズシートと、前記ドットレンズの表面とは反対側の面に配置された合成画像を有する前記可変画像表示体であって、
前記合成画像は、前記ドットレンズと作用して立体視可能な可変画像を表示する合成画像であることを特徴とする請求項１乃至６のいずれか一項に記載の可変画像表示体。
【請求項９】
複数のレンズを第一の方向に配列して成るレンズシートと作用して可変画像を表示する合成画像を形成する合成画像形成方法であって、可変画像における移動体の動き量と背景の動き量の比をｓ：ｔで観察可能な前記合成画像を形成する前記合成画像形成方法において、
前記合成画像の元画像は、前記移動体を被写体として連続して撮影したｎ枚（ただし、ｎは３以上の自然数）の撮影画像であって、かつ、当該ｎ枚の撮影画像に現れる前記移動体の像である被写体画像が、少なくとも前記第一の方向に直交する方向へ移動している前記ｎ枚の撮影画像であって、
前記ｎ枚の撮影画像のうち最初の撮影画像に基準ラインを定義する基準ライン定義工程と、
前記基準ライン定義工程にて定義された基準ラインに基づいて、前記ｎ枚の撮影画像を位置調整して重ね合わせてトリミングするトリミング工程と、
前記トリミング工程にてトリミングされた各前記撮影画像からそれぞれライン状に抽出され、所定順に配列された画像列を形成する工程と、
を有し、
前記基準ライン定義工程は、
前記最初の撮影画像に定義される基準ラインであって、
当該最初の撮影画像に現れる被写体画像の基準部位を含み、前記第一の方向に平行な第一基準ラインＬａを定義し、かつ、
前記ｎ枚の撮影画像のうちｎ枚目の撮影画像に現れる被写体画像の基準部位に対応する部位を含み、前記第一の方向に平行な第二基準ラインＬｂを定義し、かつ、
前記第一基準ラインＬａと前記第二基準ラインＬｂの間に位置し、前記第一基準ラインＬａからの距離と前記第二基準ラインＬｂからの距離の比が、ｓ：ｔ（ただし、ｔ＝０である場合を除く。）である第三基準ラインＬｅを定義し、かつ、
前記第一基準ラインＬａと前記第三基準ラインＬｅの間に、前記第一基準ラインＬａと前記第三基準ラインＬｅとの間を（ｎ−１）等分する（ｎ−２）本の位置合わせ基準ラインであって、前記第三基準ラインＬｅに近い方から順に（ｎ−１）番目の前記位置合わせ基準ライン、（ｎ−２）番目の前記位置合わせ基準ライン、・・・とし、かつ、前記第三基準ラインＬｅをｎ番目の前記位置合わせ基準ラインとして定義し、
前記トリミング工程は、
ｍ枚目の撮影画像に現れる被写体画像の基準部位が、前記最初の撮影画像のｍ番目（ただし、ｍは、０＜ｍ≦ｎである自然数）の位置合わせ基準ライン上となるよう位置調整して重ね合わせて、前記被写体画像を含む領域をトリミングすることを特徴とする合成画像形成方法。
【請求項１０】
前記トリミング工程において、前記第一基準ラインＬａと前記第三基準ラインＬｅを含む領域をトリミングすることを特徴とする請求項９に記載の合成画像形成方法。
【請求項１１】
前記ｎ枚の撮影画像のそれぞれについて、当該ｎ枚の撮影画像に現れる前記被写体のサイズが同一となるよう拡縮する拡縮工程を有し、
前記拡縮工程の後、前記ｎ枚の撮影画像に対し、前記基準ライン定義工程にて前記基準ラインが定義され、前記トリミング工程にてトリミングが行われることを特徴とする請求項９又は１０に記載の合成画像形成方法。
【請求項１２】
前記拡縮工程において、前記ｎ枚の撮影画像に含まれる一の撮影画像に現れる被写体画像を基準被写体画像とし、前記ｎ枚の撮影画像に含まれる他の撮影画像に現れる被写体画像が、前記基準被写体画像と同一サイズとなるよう、前記他の撮影画像を拡縮することを特徴とする請求項１１に記載の画像形成方法。
【請求項１３】
前記ｎ枚の撮影画像のうち、前記被写体画像のサイズが最も大きく現れている撮影画像を前記一の撮影画像とすることを特徴とする請求項１２に記載の画像形成方法。
【請求項１４】
前記移動体の移動方向のサイズＡ１と、
前記移動体が撮影地点に最も近付いた際に撮影された撮影画像を前記一の撮影画像とし、かつ、この際の前記移動体と前記撮影地点の直線距離Ｘ１と、
前記一の撮影画像を撮影した際の前記移動体と前記撮影地点とを結ぶ直線と、前記他の撮影画像を撮影した際の前記移動体と前記撮影地点とを結ぶ直線とが成す角度θ１と、
に基づいて、拡縮率を算出することを特徴とする請求項１２又は１３に記載の画像形成方法。
【請求項１５】
前記合成画像形成方法は、複数のシリンドリカルレンズを前記第一の方向に配列して成るレンチキュラーシートと作用して可変画像を表示するレンチキュラー合成画像を形成するレンチキュラー合成画像形成方法であることを特徴とする請求項９乃至１４のいずれか一項に記載の合成画像形成方法。
【請求項１６】
前記合成画像形成方法は、複数のドットレンズを前記第一の方向及び当該第一の方向と直交する第二の方向に配列して成るドットレンズシートと作用して立体視可能な可変画像を表示する合成画像を形成することを特徴とする請求項９乃至１４のいずれか一項に記載の合成画像形成方法。
【手続補正２】
【補正対象書類名】明細書
【補正対象項目名】００１１
【補正方法】変更
【補正の内容】
【００１１】
本発明の可変画像表示体は、複数のレンズが第一の方向に配列されたレンズシートと、前記レンズの表面とは反対側の面に配置された合成画像を有する可変画像表示体において、前記合成画像の元画像は、移動体を被写体として連続して撮影したｎ枚（ただし、ｎは３以上の自然数）の撮影画像であって、かつ、当該ｎ枚の撮影画像に現れる前記移動体の像である被写体画像が、少なくとも前記第一の方向に直交する方向へ移動している前記ｎ枚の撮影画像であって、前記合成画像は、前記ｎ枚の撮影画像のうち最初の撮影画像に定義される基準ラインであって、当該最初の撮影画像に現れる被写体画像の基準部位を含み、前記第一の方向に平行な第一基準ラインＬａを定義し、前記ｎ枚の撮影画像のうちｎ枚目の撮影画像に現れる被写体画像の基準部位に対応する部位を含み、前記第一の方向に平行な第二基準ラインＬｂを定義し、前記第一基準ラインＬａと前記第二基準ラインＬｂの間に位置し、前記第一基準ラインＬａからの距離と前記第二基準ラインＬｂからの距離の比が、ｓ：ｔ（ただし、ｔ＝０である場合を除く。）である第三基準ラインＬｅを定義し、前記第一基準ラインＬａと前記第三基準ラインＬｅの間に、前記第一基準ラインＬａと前記第三基準ラインＬｅとの間を（ｎ−１）等分する（ｎ−２）本の位置合わせ基準ラインであって、前記第三基準ラインＬｅに近い方から順に（ｎ−１）番目の前記位置合わせ基準ライン、（ｎ−２）番目の前記位置合わせ基準ライン、・・・とし、かつ、前記第三基準ラインＬｅをｎ番目の前記位置合わせ基準ラインとして定義し、前記ｎ枚の撮影画像を重ね合わせてトリミングする際、ｍ枚目の撮影画像に現れる被写体画像の基準部位が、前記最初の撮影画像のｍ番目（ただし、ｍは、０＜ｍ≦ｎである自然数）の位置合わせ基準ライン上となるよう位置調整して重ね合わせて、前記被写体画像を含む領域をトリミングし、トリミングされた各前記撮影画像からそれぞれライン状に抽出され、各前記レンズのそれぞれ対応する位置に配列された表示用画像列により構成され、当該可変画像表示体における前記移動体の動き量と背景の動き量の比をｓ：ｔで観察可能であることを特徴とする。
【手続補正３】
【補正対象書類名】明細書
【補正対象項目名】００１７
【補正方法】削除
【補正の内容】
【手続補正４】
【補正対象書類名】明細書
【補正対象項目名】００２０
【補正方法】変更
【補正の内容】
【００２０】
本発明の合成画像形成方法は、複数のレンズを第一の方向に配列して成るレンズシートと作用して可変画像を表示する合成画像を形成する合成画像形成方法であって、可変画像における移動体の動き量と背景の動き量の比をｓ：ｔで観察可能な前記合成画像を形成する前記合成画像形成方法において、前記合成画像の元画像は、前記移動体を被写体として連続して撮影したｎ枚（ただし、ｎは３以上の自然数）の撮影画像であって、かつ、当該ｎ枚の撮影画像に現れる前記移動体の像である被写体画像が、少なくとも前記第一の方向に直交する方向へ移動している前記ｎ枚の撮影画像であって、前記ｎ枚の撮影画像のうち最初の撮影画像に基準ラインを定義する基準ライン定義工程と、前記基準ライン定義工程にて定義された基準ラインに基づいて、前記ｎ枚の撮影画像を位置調整して重ね合わせてトリミングするトリミング工程と、前記トリミング工程にてトリミングされた各前記撮影画像からそれぞれライン状に抽出され、所定順に配列された画像列を形成する工程と、を有し、前記基準ライン定義工程は、前記最初の撮影画像に定義される基準ラインであって、当該最初の撮影画像に現れる被写体画像の基準部位を含み、前記第一の方向に平行な第一基準ラインＬａを定義し、かつ、前記ｎ枚の撮影画像のうちｎ枚目の撮影画像に現れる被写体画像の基準部位に対応する部位を含み、前記第一の方向に平行な第二基準ラインＬｂを定義し、かつ、前記第一基準ラインＬａと前記第二基準ラインＬｂの間に位置し、前記第一基準ラインＬａからの距離と前記第二基準ラインＬｂからの距離の比が、ｓ：ｔ（ただし、ｔ＝０である場合を除く。）である第三基準ラインＬｅを定義し、かつ、前記第一基準ラインＬａと前記第三基準ラインＬｅの間に、前記第一基準ラインＬａと前記第三基準ラインＬｅとの間を（ｎ−１）等分する（ｎ−２）本の位置合わせ基準ラインであって、前記第三基準ラインＬｅに近い方から順に（ｎ−１）番目の前記位置合わせ基準ライン、（ｎ−２）番目の前記位置合わせ基準ライン、・・・とし、かつ、前記第三基準ラインＬｅをｎ番目の前記位置合わせ基準ラインとして定義し、前記トリミング工程は、ｍ枚目の撮影画像に現れる被写体画像の基準部位が、前記最初の撮影画像のｍ番目（ただし、ｍは、０＜ｍ≦ｎである自然数）の位置合わせ基準ライン上となるよう位置調整して重ね合わせて、前記被写体画像を含む領域をトリミングすることを特徴とする。
【手続補正５】
【補正対象書類名】明細書
【補正対象項目名】００２６
【補正方法】削除
【補正の内容】